(57)【要約】【課題】  本発明は、家庭や事務室或いは車両内部等のいずれのところにも着脱が可能で、かつガム容器からガムを容易く取り出すことができると共に、蓋の開閉も安全・便利に操作することができるガム容器を提供する。【解決手段】  ガムを収納する空間を有するケースと、前記ケースとヒンジによって連結される蓋を含み、前記ケースの所定の部位には前記ケースを外部の支持体に着脱自在にする着脱手段を備える。【選択図】  図１
2005015047.tif 000002
【特許請求の範囲】
【請求項１】
チューインガムを收納する空間を有するケースと、ヒンジによって前記ケースに連結される蓋を含み、前記ケースの所定部位には前記ケースを外部の支持体に着脱自在にする着脱手段を備えることを特徴とするチューインガム容器。
【請求項２】
前記ケースの底面が傾斜して形成されることを特徴とする請求項１記載のチューインガム容器。
【請求項３】
前記ケースの外表面には、前記ケースの把持を容易にするために複数の突起が形成されることを特徴とする請求項１又は２記載のチューインガム容器。
【請求項４】
前記着脱手段が、両面接着部材であることを特徴とする請求項１記載のチューインガム容器。
【請求項５】
前記着脱手段が、磁性体や、磁性部材が取り付けられた前記ケースと前記外部の支持体とを着脱させる磁石であることを特徴とする請求項１記載のチューインガム容器。
【請求項６】
前記磁石は、前記ケースの内部に取り付けられることを特徴とする請求項５記載のチューインガム容器。
【発明の詳細な説明】
【技術分野】
【０００１】
本発明は、チューインガム容器（以下、ガム容器と略記する）に関し、より詳細には家庭や事務室或いは車両内部等のどこでも容易に着脱が可能であり、容器の内部からガムを容易に取り出すことができるガム容器に関するものである。
【背景技術】
【０００２】
一般的に、ガムは銀箔紙又はビニール等で包まれている状態で５〜７個の単位で包装紙によって包装される。現在、前記包装されたガム又は個々でなるガムを収納することができる所定の空間を有するガム容器が使用されている。
【０００３】
図１０は従来技術に係るガム容器（１）で、蓋（２）とガムを收納するケース（４）で構成される。又、前記蓋（２）とケース（４）は螺旋結合部（３）によって締結又は分離される構造である。
【０００４】
従来のガム容器（１）は、容器を固定するために底面を平面構造とし置き所の平面上に置かれるか別途の置き台（未図示）に載置しなければならない。したがって、前記ガム容器を自動車の内部等に置いて使用する場合、振動の少ない所に載置するか、或いは所定の空間に入れて置かなければならない。
【０００５】
前記のような従来構成でなるガム容器（１）は、ガムを取り出すとき特に自動車を運転中の運転者には非常に不便なだけでなく危ない場合もある。即ち、運転中にガムを噛むためには前記ガム容器が載置又は保管された所からガム容器を取り出し、蓋（２）を回して開瓶した後ガムを取り出し、更に蓋（２）を閉じてガム容器（１）を元の場所に置かなければならない。たとえガム容器（１）が運転席の近傍に置かれていても運転中の運転者には両手を使わねばならない前記のような動作は不便ばかりでなく危険を伴う行為である。
【発明の開示】
【発明が解決しようとする課題】
【０００６】
本発明は、前記のような問題点を解決するために案出されたもので、ガム容器を家庭や事務室或いは車両内部等のいかなる場所にでも着脱が可能で、かつ収納されているガムを容易く取り出すことができるガム容器を提供することを目的とする。
【課題を解決するための手段】
【０００７】
前記のような目的を達成するために本発明は、ガムを収納する空間を有するケースと、前記ケースとヒンジによって連結される蓋を含み、前記ケースの所定部位には前記ケースを外部の支持体に着脱自在にする着脱手段を備えることによって達成される。
【０００８】
前記における外部の支持体は、本発明によるガム容器が着脱されることができる物体或いはその物体の一部を含む。前記着脱手段は、好ましくは磁石、両面テープ（接着部材）等であり、前記着脱手段が磁石の場合には前記外部支持体及びガム容器が磁性体であるか、或いは非磁性体及び非金属部材に磁性部材が付着されたものが好ましい。
【０００９】
前記磁性体及び磁性部材は磁石に引き付く性質を有する部材であり、例えば、鉄、コバルト、ニッケル及びそれらの合金等でなる部材を挙げられる。前記磁石は、ガム容器の外部に設けていても構わないが、ガム容器の内部に設ける方が好ましい。前記磁石がガム容器の外部に設けられると突起物になってポケット等に取り入れ取り出す時の不便ばかりでなく、磁石が接着剤等で接着されているため剥離する可能性がある。
【００１０】
又、前記ガム容器のケースは、その底面を傾斜して形成することが好ましい。前記容器の傾いた底面を外部支持体の垂直面に付着する場合前記ガム容器は上方向又は下方向に傾く形態を取る。特に前記蓋を上方向へ開瓶するように容器を付着すると、その容器は水平に立てられた容器より使用者が容器内の内容物（ガム等）をより容易く取り出すことができる。また、前記ケースの外表面には複数の突起が形成されることが好ましい。前記の突起は、手で前記ケースを把持するとき滑べりを防止するだけでなく指圧の効果も有り得る。
【発明の効果】
【００１１】
前記のように構成された本発明のガム容器は、家庭や事務室或いは車両内部等のいずれのところにも着脱が可能であり、又、ガム容器からガムをたやすく取り出すと共に蓋の開閉も安全・便利に操作することができる。
【発明を実施するための最良の形態】
【００１２】
以下、添付された図面を参照しながら本発明による好ましい実施例を詳しく説明する。なお、本実施形態は好適な実施のための例示であり、本発明がこの実施例に限定されるものではない。又、本発明のガム容器はその収納物がチューインガムに限らずガムと類似する物品の収納にも適用されることは勿論である。
【００１３】
図１は第１発明による本発明のガム容器を示す斜視図であり、図２は本発明の前記ガム容器と磁性体でなる外部支持体間の接着過程を示す説明図である。また、図３は本発明の前記ガム容器と非磁性体である外部支持体間の接着過程を示す説明図であり、図４は本発明の前記ガム容器と外部支持体が両面接着テープによって接着される過程を示す図面である。又、図５は第２発明のガム容器と外部支持体間の接着過程を示す説明図である。
【００１４】
図１に示すように、外部支持体に着脱が可能の本発明のガム容器（10）は、ケース（11）、蓋（12）、ヒンジ（13）、磁石（14）及びつめ部（16）を含む。本発明は前記ケース（11）の形状を特に限定しないが、円筒形のものが好ましい。もし前記ケース（11）が三角形や四角形等多角形の場合、収納されているガムを取り出すとき、角が立った部分によって手指等に傷を負う虞がある。
【００１５】
前記外部支持体（20；図４参照）とは本発明のガム容器が着脱される物体であり、例えば、冷蔵庫、自動車内部の適宜の付着個所、机等を挙げられる。
【００１６】
前記図１において磁石（14）がガム容器の内部の底面に設けられているが、ガム容器内部の底面に磁石と同じサイズの溝が形成され、その溝内に前記磁石が嵌め込まれるようにする（図示省略）。前記のような溝を形成しその溝内に磁石を嵌め込むことは、容器内で前記磁石が露出する突起状態を避けるためである。
【００１７】
前記つめ部（16）は、指先などを用いて蓋（12）を開くためものである。本発明は、蓋（12）を閉じる時、つめ部（16）と当接するケース（11）の上端部の外縁に溝を形成することが好ましい。前記溝は、前記つめ部を上方へ押し上げて開くことがより容易になるように形成されたものであり、その溝の中に指先の一部が容易に入り込むように適宜形成する。
【００１８】
図２に示すように、前記外部支持体（20）が磁性体（20a）の場合には、ガム容器（10）の底部に磁石（14）を図示の点線のように設けることによって、外部支持体即ち磁性体（20a）にガム容器（10）を着脱することができる。しかし、前記外部支持体が非磁性体である場合には、前記の方法によっては着脱が不可能である。ところで、本発明者は図３に示すように、外部支持体としての非磁性体（20b）と磁性部材（22）を接着部材（21）によって接着させた後、前記ガム容器（10）を前記磁性部材（22）に接着させることによって非磁性体（20b）の外部支持体と容器との着脱を可能にした。前記接着部材（21）としては、例えば、通常の両面接着テープ、ボンド、接着剤などを挙げられる。
【００１９】
本発明は、前記図２又は図３のように外部支持体（20）とガム容器（10）を磁石（14、14'）によって着脱させることを含むが、他の着脱部材を用いることもできる。前記着脱部材は好ましくは両面の接着剤がテープカバーで保護される両面テープ（15）である。
【００２０】
本発明をより詳細に説明すると、図４に示すように両面テープ（15）の一側面に形成されたテープカバー（15b；円内の拡大図参照）を剥ぎ取って前記ケース（11）の底面に予め接着させた後必要のとき両面テープ（15）の他側面に形成されたテープカバー（15a）を剥ぎ取って外部支持体（20）の必要・適当な個所に接着させることによって外部支持体（20）とガム容器（10）を着脱自在にすることができる。
【００２１】
本発明は着脱手段、即ち、磁石（14、14'）又は両面テープ（15）がケース（11）の底面のみではなく図５に示すようにケース（11）の一側面に形成されたものも含む。このようにすることによって蓋（12）は上方に向けられる。
【００２２】
そして、前記のようなガム容器の側面を運転者の手の届く近い所の側面に接着させておけば運転者は運転途中にも手指を用いて前記容器内の内容物（ガム等）を容易に取り出すことができる。
【００２３】
図６は、第３発明の前記ガム容器を示す斜視図であり、図７は図６の側面図である。本発明は図６及び図７に示すように、ケース（11）の底面を所定の角度で傾斜させ形成することが好ましい。即ち、底面を傾斜させる前のケース（11）の縦断面は矩形又は正方形であり、底面を傾斜させた後のケース（11）の縦断面は梯形である。本発明はケース(11)の縦断面が前記と同様の形態或いはその他の四角形（菱形、平行四辺形、梯形など）の形態も含む。前記のようにケース（11）の底面を傾斜させて形成すると、ケース（11）の側面の長さはそれぞれ相違する。即ち、ケース（11）には短辺と長辺とがある。
【００２４】
本発明のヒンジ（13）は前記ケース（11）の最も短い側面の上端に形成することが好ましく、その理由は次の図８及び図９を参照して説明する。図８及び図９は第３発明による前記ガム容器の接着状態の斜視図及び側断面図である。
【００２５】
即ち、長辺側面を下向き、短辺側面を上向きの位置で前記ガム容器（10'）を外部支持体（20）の側面に接着させることによって上向きの所定の角度で容器（10'）を横立てにする。又、前記容器（10'）とヒンジ（13）によって連結された蓋（12）が完全に開かれたときは、蓋の開閉線（図９のヒンジ−つめ部線）は床面と少なくとも水平を成すようにする。
【００２６】
ここで、前記蓋（12）が開かれたとき少なくとも床面と開閉線とが水平以上の開きを成すようにヒンジ（13）を装着することが好ましい。もし、前記蓋（12）が水平以下に開かれると片手の指などで容器内のガム等を取り出す動作がややこしくなる。
【００２７】
前記のようなヒンジ（13）がケース（10'）の短辺側面の上端に形成されると運転者が前記蓋（12）を開くときはつめ部（16）を指先を用いて前上方に引っ張ることによって容易く蓋（12）を開けることができ、蓋（12）を閉じるときは指などで上方から下方に軽く押し下げる。即ち、一般的に、特に運転者は下方から上方に押し上げて前記の蓋（12）を閉じるよりも上方から下方に押し下げて蓋（12）を閉じることが便利であり、 特に運転者にとっては前記ガム容器の短辺側面にヒンジ（13）を設けた蓋（12）の容器がその操作上の安全性を保つ。
【００２８】
又、本発明は図６乃至図７に示すように、把持するときケース（11）外表面の滑りを防止すると共に、指圧効果も考えてガム容器（10'）の外表面に多数の突起（17）を形成することが好ましい。前記突起の形状は特に限定するものではなく、前記の滑り防止や指圧効果のある適宜な形状であれば好ましい。
【産業上の利用可能性】
【００２９】
前記のように構成された本発明のガム容器は、家庭や事務室或いは車両内部等のいずれのところにも着脱が可能であり、又、ガム容器からガムをたやすく取り出すと共に蓋の開閉も安全・便利に操作することができる。
【図面の簡単な説明】
【００３０】
【図１】本発明の第１発明に係るガム容器を示す斜視図である。
【図２】本発明の第1発明に係るガム容器と磁性体である外部支持体間の接着過程を示す説明図である。
【図３】本発明の第1発明に係るガム容器と非磁性体である外部支持体間の接着過程を示す説明図である。
【図４】本発明の第１発明に係るガム容器と非磁性体である外部支持体が両面接着テープによって接着される過程を示す図面である。
【図５】本発明の第２発明に係るガム容器と外部支持体間の接着過程を示す説明図である。
【図６】本発明の第３発明に係るガム容器の斜視図である。
【図７】図６の側面図である。
【図８】本発明の第３発明に係るガム容器の接着状態の斜視図である。
【図９】本発明の第３発明に係るガム容器の接着状態の側断面図である。
【図１０】従来の技術に係るガム容器の分離斜視図である。
【符号の説明】
【００３１】
Ａ              チューインガム
１、10、10'    ガム容器
２、12          蓋
４、11          ケース
13              ヒンジ
14、14'        磁石
15              着脱部材（両面テープ）
15a、15b        テープカバー
16              つめ（爪）部
17              突起
20              外部支持体
20a            磁性体
20b            非磁性体
21              接着部材
22              磁性部材
【図１】
2005015047.tif 000003
【図２】
2005015047.tif 000004
【図３】
2005015047.tif 000005
【図４】
2005015047.tif 000006
【図５】
2005015047.tif 000007
【図６】
2005015047.tif 000008
【図７】
2005015047.tif 000009
【図８】
2005015047.tif 000010
【図９】
2005015047.tif 000011
【図１０】
2005015047.tif 000012